【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
第１表示パネルと、
前記第１表示パネルの背面側に配置される第２表示パネルと、
前記第２表示パネルの背面側に配置される発光部と、
入力画像に基づいて、第１表示モードと、前記第１表示モードよりも観察者の視差による二重像の発生が抑制される第２表示モードと、のうちいずれかを選択する選択手段と、
前記選択手段の選択結果に基づいて、入力画像に対し所定の画像処理を行って処理画像を生成する生成手段と、
を備え、
前記第２表示パネルは、前記処理画像に基づいて、前記発光部から発せられた光を変調し、
前記第１表示パネルは、前記入力画像に基づいて、前記第２表示パネルから出力された光を変調する、
ことを特徴とする表示装置。
【請求項２】
前記選択手段は、前記入力画像における輝度変化が急峻である場合には、前記第２表示モードを選択し、そうでない場合には、前記第１表示モードを選択する、
ことを特徴とする請求項１に記載の表示装置。
【請求項３】
前記選択手段は、前記入力画像に付加された前記入力画像の種類を示す情報に基づいて、前記第１表示モードもしくは前記第２表示モードを選択する、
ことを特徴とする請求項１に記載の表示装置。
【請求項４】
前記選択手段は、前記入力画像の領域ごとに、前記第１表示モードおよび前記第２表示モードを選択し、
前記生成手段は、前記領域ごとに選択された表示モードに基づいて、前記処理画像を生成する、
ことを特徴とする請求項１に記載の表示装置。
【請求項５】
ユーザが表示モードの選択指示を入力するための入力手段をさらに備え、
前記選択手段は、前記入力手段により入力された前記ユーザの選択指示に応じて、前記
表示モードを選択する、
ことを特徴とする請求項１から４のいずれか１項に記載の表示装置。
【請求項６】
前記第２表示モードが選択された場合、前記生成手段は、前記入力画像の画素を拡げる処理を施して、前記処理画像を生成する、
ことを特徴とする請求項１から５のいずれか１項に記載の表示装置。
【請求項７】
前記第１表示モードが選択された場合、前記生成手段は、前記入力画像を前記処理画像として出力する、
ことを特徴とする請求項１から６のいずれか１項に記載の表示装置。
【請求項８】
第１表示パネルと、
前記第１表示パネルの背面側に配置される第２表示パネルと、
前記第２表示パネルの背面側に配置される発光部と、
第１表示モードと、前記第１表示モードよりも観察者の視差による二重像の発生が抑制される第２表示モードと、のうちいずれかを選択するためのユーザの選択指示を入力する入力手段と、
前記入力手段により入力された選択指示に応じて、前記第１表示モードおよび前記第２表示モードのいずれかを選択する選択手段と、
前記選択手段の選択結果に基づいて、入力画像に対し所定の画像処理を行って処理画像を生成する生成手段と、
を備え、
前記第２表示パネルは、前記処理画像に基づいて、前記発光部から発せられた光を変調し、
前記第１表示パネルは、前記入力画像に基づいて、前記第２表示パネルから出力された光を変調することを特徴とする表示装置。
【請求項９】
第１表示パネルと、
前記第１表示パネルの背面側に配置される第２表示パネルと、
前記第２表示パネルの背面側に配置される発光部と、
を備える表示装置の制御方法であって、
入力画像に基づいて、第１表示モードと、前記第１表示モードよりも観察者の視差による二重像の発生が抑制される第２表示モードと、のうちいずれかを選択する選択ステップと、
前記選択ステップにおける選択結果に基づいて、入力画像に対し所定の画像処理を行って処理画像を生成する生成ステップと、
前記発光部から発せられた光を前記第２表示パネルにより前記処理画像に基づいて変調し、前記第２表示パネルから出力された光を前記第１表示パネルにより前記入力画像に基づいて変調することにより画像を表示する表示ステップと、
を有することを特徴とする表示装置の制御方法。
【請求項１０】
前記選択ステップでは、前記入力画像における輝度変化が急峻である場合には、前記第２表示モードを選択し、そうでない場合には、前記第１表示モードを選択する、
ことを特徴とする請求項９に記載の表示装置の制御方法。
【請求項１１】
前記選択ステップでは、前記入力画像に付加された前記入力画像の種類を示す情報に基づいて、前記第１表示モードもしくは前記第２表示モードを選択する、
ことを特徴とする請求項９に記載の表示装置の制御方法。
【請求項１２】
前記選択ステップでは、前記入力画像の領域ごとに、前記第１表示モードおよび前記第
２表示モードを選択し、
前記生成ステップでは、前記領域ごとに選択された表示モードに基づいて、前記処理画像を生成する、
ことを特徴とする請求項９に記載の表示装置の制御方法。
【請求項１３】
ユーザが表示モードの選択指示を入力するための入力ステップをさらに有し、
前記選択ステップでは、前記入力ステップにおいて入力された前記ユーザの選択指示に応じて、前記表示モードを選択する、
ことを特徴とする請求項９から１２のいずれか１項に記載の表示装置の制御方法。
【請求項１４】
前記第２表示モードが選択された場合、前記生成ステップでは、前記入力画像の画素を拡げる処理を施して、前記処理画像を生成する、
ことを特徴とする請求項９から１３のいずれか１項に記載の表示装置の制御方法。
【請求項１５】
前記第１表示モードが選択された場合、前記生成ステップでは、前記入力画像を前記処理画像として出力する、
ことを特徴とする請求項９から１４のいずれか１項に記載の表示装置の制御方法。
【請求項１６】
第１表示パネルと、
前記第１表示パネルの背面側に配置される第２表示パネルと、
前記第２表示パネルの背面側に配置される発光部と、
を備える表示装置の制御方法であって、
第１表示モードと、前記第１表示モードよりも観察者の視差による二重像の発生が抑制される第２表示モードと、のうちいずれかを選択するためのユーザの選択指示を入力する入力ステップと、
前記入力ステップにおいて入力された選択指示に応じて、前記第１表示モードおよび前記第２表示モードのいずれかを選択する選択ステップと、
前記選択ステップにおける選択結果に基づいて、入力画像に対し所定の画像処理を行って処理画像を生成する生成ステップと、
前記発光部から発せられた光を前記第２表示パネルにより前記処理画像に基づいて変調し、前記第２表示パネルから出力された光を前記第１表示パネルにより前記入力画像に基づいて変調することにより画像を表示する表示ステップと、
を有することを特徴とする表示装置の制御方法。
【請求項１７】
請求項９から１６のいずれか１項に記載の制御方法の各ステップをコンピュータに実行させるためのプログラム。
【請求項１８】
請求項１７に記載のプログラムを記憶するコンピュータが読み取り可能な記憶媒体。
【手続補正２】
【補正対象書類名】明細書
【補正対象項目名】０００７
【補正方法】変更
【補正の内容】
【０００７】
本発明は、第１表示パネルと、
前記第１表示パネルの背面側に配置される第２表示パネルと、
前記第２表示パネルの背面側に配置される発光部と、
入力画像に基づいて、第１表示モードと、前記第１表示モードよりも観察者の視差による二重像の発生が抑制される第２表示モードと、のうちいずれかを選択する選択手段と、
前記選択手段の選択結果に基づいて、入力画像に対し所定の画像処理を行って処理画像を生成する生成手段と、
を備え、
前記第２表示パネルは、前記処理画像に基づいて、前記発光部から発せられた光を変調し、
前記第１表示パネルは、前記入力画像に基づいて、前記第２表示パネルから出力された光を変調する、
ことを特徴とする表示装置である。
【手続補正３】
【補正対象書類名】明細書
【補正対象項目名】０００８
【補正方法】変更
【補正の内容】
【０００８】
本発明は、第１表示パネルと、
前記第１表示パネルの背面側に配置される第２表示パネルと、
前記第２表示パネルの背面側に配置される発光部と、
を備える表示装置の制御方法であって、
入力画像に基づいて、第１表示モードと、前記第１表示モードよりも観察者の視差による二重像の発生が抑制される第２表示モードと、のうちいずれかを選択する選択ステップと、
前記選択ステップにおける選択結果に基づいて、入力画像に対し所定の画像処理を行って処理画像を生成する生成ステップと、
前記発光部から発せられた光を前記第２表示パネルにより前記処理画像に基づいて変調し、前記第２表示パネルから出力された光を前記第１表示パネルにより前記入力画像に基づいて変調することにより画像を表示する表示ステップと
を有することを特徴とする表示装置の制御方法である。
【手続補正４】
【補正対象書類名】明細書
【補正対象項目名】０００９
【補正方法】変更
【補正の内容】
【０００９】
本発明は、上記方法の各ステップをコンピュータに実行させるためのプログラムである。
本発明は、上記プログラムを記憶するコンピュータが読み取り可能な記憶媒体である。